(57)【特許請求の範囲】
【請求項１】
壁面に固定される壁面固定部材と、該壁面固定部材に対して揺動可能に設けられ、便器本体に取り付けられた便器装置を遠隔操作するリモコンが前面に装着されるリモコン装着プレートとを備えたリモコン取付具において、
前記リモコン装着プレートは、前記壁面に取り付けられた状態で垂直方向に延び、該リモコン装着プレートの左端又は右端に位置する垂直軸回りで前記壁面固定部材に対して揺動可能であり、
前記壁面固定部材と前記リモコン装着プレートとの間には前記垂直軸を構成する垂直軸部材が設けられ、該垂直軸部材は該リモコン装着プレートの左端及び右端に取り付け可能であることを特徴とするリモコン取付具。
【請求項２】
前記リモコン装着プレートは、前記壁面に取り付けられた状態で水平方向に延びる水平軸回りで前記垂直軸部材に対して揺動可能である請求項１記載のリモコン取付具。
【請求項３】
前記リモコン装着プレートと前記垂直軸部材との間には前記水平軸を構成する水平軸部材が設けられ、該水平軸部材は該リモコン装着プレートの左端及び右端に取り付け可能である請求項２記載のリモコン取付具。
【請求項４】
前記壁面固定部材は、背面が前記壁面に当接して固定されるプレート部を有する請求項１乃至３のいずれか１項記載のリモコン取付具。
【請求項５】
前記垂直軸及び／又は前記水平軸回りに前記リモコン装着プレートを回動するモーターと、該モーターを制御する制御部とを備えている請求項２又は３記載のリモコン取付具。
【発明の詳細な説明】
【技術分野】
【０００１】
本発明はリモコン取付具に関する。
【背景技術】
【０００２】
特許文献１の図４及ぶ図５に従来のリモコン取付具が開示されている。このリモコン取付具は壁面に固定される壁面固定部材と、壁面固定部材に対して揺動可能に設けられたリモコン装着部材とを備えている。リモコン装着部材の前面には、便器本体に取り付けられた便器装置を遠隔操作するリモコンが装着される。壁面固定部材には、壁面に固定された状態で水平方向に延びるヒンジピンが設けられている。リモコン装着部材の中央後端部がこのヒンジピンに揺動可能に接続されている。
【０００３】
このリモコン取付具のリモコン装着部材の前面に装着されたリモコンは、ヒンジピン回りで壁面固定部材に対して揺動可能であるため、便器本体を使用する使用者の操作しやすい向きにリモコンの操作面を向けることができる。このため、リモコンの操作性を向上させることができる。
【０００４】
【特許文献１】特開平１１−７１７９９号公報
【発明の開示】
【発明が解決しようとする課題】
【０００５】
しかし、上記従来のリモコン取付具では、リモコン装着部材の揺動中心であるヒンジピンがリモコン装着部材の中央後端部に位置する。このため、リモコン装着部材を揺動させるためには、ヒンジピンより壁面側にリモコン装着部材が揺動時に位置することのできるスペースを確保しなければならない。このため、ヒンジピンは、壁面から特定の間隔を有する前方位置に設けられ、リモコン装着部材が接続される。よって、リモコン装着部材に装着されたリモコンは壁面からさらに離れた前方に取り付けられることになる。このため、便器本体の使用者は、便器本体に近づく際等にリモコンに接触してしまわないように注意しなければならい。また、使用者が意図せずにリモコンに接触してしまった際に、便器装置が作動してしまうおそれがある。
【０００６】
本発明は、上記従来の実情に鑑みてなされたものであって、リモコンを使い勝手良く壁面に取り付けることができるリモコン取付具を提供することを解決すべき課題としている。
【課題を解決するための手段】
【０００７】
本発明のリモコン取付具は、壁面に固定される壁面固定部材と、該壁面固定部材に対して揺動可能に設けられ、便器本体に取り付けられた便器装置を遠隔操作するリモコンが前面に装着されるリモコン装着プレートとを備えたリモコン取付具において、
前記リモコン装着プレートは、前記壁面に取り付けられた状態で垂直方向に延び、該リモコン装着プレートの左端又は右端に位置する垂直軸回りで前記壁面固定部材に対して揺動可能であり、
前記壁面固定部材と前記リモコン装着プレートとの間には前記垂直軸を構成する垂直軸部材が設けられ、該垂直軸部材は該リモコン装着プレートの左端及び右端に取り付け可能であることを特徴とする。
【０００８】
このリモコン取付具では、リモコン装着プレートに装着されたリモコンを使用しないときは、リモコン装着プレートを揺動させて壁面に沿う位置にする。これにより、リモコンの壁面より前方への突出幅を小さくすることができる。このため、使用者が便器本体に近づく際等にリモコンに接触し難く、意図せずに便器装置が作動してしまうことを防止することができる。また、リモコンを使用するときは、リモコンの操作面を便器本体の使用者が使用しやすい向きになるように、リモコン装着プレートを垂直軸回りで任意の角度に揺動させることができる。
【０００９】
したがって、本発明のリモコン取付具は、リモコンを使い勝手良く壁面に取り付けることができる。
【００１０】
壁面固定部材とリモコン装着プレートとの間には垂直軸を構成する垂直軸部材が設けられ、垂直軸部材はリモコン装着プレートの左端及び右端に取り付け可能である。この場合、リモコン装着プレートの左端又は右端のどちらか一方を選択して垂直部材に容易に取り付けることができる。このため、リモコン取付具を便器本体に向かって左右どちらの壁面に取り付けても、リモコン装着プレートに装着されたリモコンの操作面を便器本体に着座した使用者に向けることができる。
【００１１】
リモコン装着プレートは、壁面に取り付けられた状態で水平方向に延びる水平軸回りで垂直軸部材に対して揺動可能であり得る。この場合、リモコン装着プレートに装着されたリモコンを使用しないときは、リモコン装着プレートを揺動させて壁面に沿う位置にすることができる。これにより、リモコンの壁面から前方への突出幅を小さくすることができる。このため、使用者が便器本体に近づく際等にリモコンに接触し難く、意図せずに便器装置が作動してしまうことを防止することができる。また、リモコンを使用するときは、リモコンの操作面を便器本体の使用者が使用しやすい向きになるように、リモコン装着プレートを垂直軸回り、かつ水平軸回りの任意の角度に揺動させることができる。このため、リモコンの使い勝手をより良くすることができる。
【００１２】
リモコン装着プレートと垂直軸部材との間には水平軸を構成する水平軸部材が設けられ、水平軸部材はリモコン装着プレートの左端及び右端に取り付け可能であり得る。この場合、リモコン装着プレートの左端又は右端のどちらか一方を選択して水平軸部材に容易に取り付けることができる。このため、リモコン取付具を便器本体に向かって左右どちらの壁面に取り付けても、リモコン装着プレートに装着されたリモコンの操作面を便器本体に着座した使用者に向けることができる。
【００１３】
壁面固定部材は、背面が壁面に当接して固定されるプレート部を有し得る。この場合、壁面固定部材の壁面に対する当接部分が広くなり、リモコン取付具を壁面に強固に取り付けることができる。
【００１４】
垂直軸及び／又は水平軸回りにリモコン装着プレートを回動するモーターと、モーターを制御する制御部とを備え得る。この場合、リモコン装着プレートをモーターにより垂直軸及び／又は水平軸回りで揺動させることができるため、リモコンの操作面を便器本体の使用者が使用しやすい向きに容易に向けることができる。
【発明を実施するための最良の形態】
【００１５】
以下、本発明のリモコン取付具を具体化した実施例１〜３を図面を参照しつつ説明する。
【実施例１】
【００１６】
図１に示すように、実施例１のリモコン取付具１０は、トイレルームの壁面Ｗに固定される壁面固定部材２０と、壁面固定部材２０に対して揺動可能に設けられ、リモコン１００が前面に装着されるリモコン装着プレート３０とを備えている。
【００１７】
トイレルームに据え付けられた便器本体１は、後部上面に取り付けられ、便座３及び便蓋４を揺動可能に軸支するケース２を有している。ケース２内には、図示しない局部洗浄装置、便器洗浄装置、便座・便蓋自動開閉装置、脱臭装置、部屋暖房装置及び音楽再生装置等の便器装置が内蔵されている。リモコン１００は、この便器装置を遠隔操作するものである。
【００１８】
図２に示すように、壁面固定部材２０とリモコン装着プレート３０との間には、リモコン装着プレート３０が壁面Ｗに取り付けられた状態で垂直方向に延びる垂直軸を構成する垂直軸部材４０が設けられている。さらに、リモコン装着プレート３０と垂直軸部材４０との間には、リモコン装着プレート３０が壁面Ｗに取り付けられた状態で水平方向に延びる水平軸を構成する水平軸部材５０が設けられている。
【００１９】
壁面固定部材２０は、垂直軸部材４０を軸支するヒンジ部２０Ａと、ヒンジ部２０Ａの後端側部から左方向に延び、壁面Ｗに背面が当接して固定されるプレート部２０Ｂとからなる。壁面固定部材２０は、プレート部２０Ｂに設けられた４つの壁面固定孔２６を貫通する木螺子２７によって壁面Ｗに固定される。このため、壁面固定部材２０は、壁面Ｗに強固に取り付けることができる。ヒンジ部２０Ａの上下端には、前方へ突出する略立方体形状の凸部２１が形成されている。各凸部２１には、垂直方向に貫通孔２２が設けられている。
【００２０】
垂直軸部材４０は、垂直方向に延びる略半楕円柱形状であり、上下端面には、水平断面が略矩形状の凹部４１が設けられている。また、垂直軸部材４０の側面である平面部４４には、水平軸部材５０の基部５１を挿入する凹部４２が設けられている。
【００２１】
垂直軸部材４０は、ヒンジ部２０Ａに形成された上下２つの凸部２１の間に２つの固定ピン２３によって取り付けられる。固定ピン２３は、基部２４と、水平断面が略矩形状に形成された先端軸２５とを有している。この先端軸２５は、基部２４に対して軸心回りで９０度まで回動可能である。固定ピン２３の基部２４は貫通孔２２に回動不能に固定され、先端軸２５は凹部４１に挿入される。これにより、垂直軸部材４０は、平面部４４の左向き状態と前向き状態との間を回動可能とされる。このため、リモコン装着プレート３０は、壁面固定部材２０のプレート部２０Ｂに重なる壁面Ｗに沿う位置から壁面Ｗに対して直角方向に延びる位置までの間を垂直軸部材４０の回りで揺動可能とされる。
【００２２】
水平軸部材５０は、基部５１と、垂直断面が略矩形状に形成された先端軸５２とを有している。基部５１には、取り付け孔５４が設けられた鍔部５３が一体形成されている。先端軸５２は、基部５１に対して軸心回りで９０度まで回動可能である。水平軸部材５０の基部５１は垂直軸部材４０の凹部４２に挿入され、鍔部５３の取り付け孔５４を貫通するビス５５により、垂直軸部材４０に対して回動不能に固定される。また、水平軸部材５０の先端軸５２は、リモコン装着プレート３０の左右端面に形成された凹部３１の一方に挿入される。これにより、リモコン装着プレート３０は、表面の向きを斜め上方４５度から斜め下方４５度の間を揺動可能とされる。水平軸部材５０の先端軸５２が挿入された凹部３１が設けられた端面とは反対側の端面に設けられた凹部３１は、図３及び図４に示すように、キャップ３２により塞がれる。
【００２３】
壁面固定部材２０は、上下対称形状であるため、左右を反転して壁面Ｗに取り付けることができる。これにより、便器本体１に向かって左右のどちらの壁面Ｗに対してもリモコン取付具１０を取り付けが可能である。つまり、図１に示すように、便器本体１に向かって左側の壁面Ｗにリモコン取付具１０を固定する場合は、ヒンジ部２０Ａが右側に位置するように壁面固定部材２０を壁面Ｗに固定し、リモコン装着プレート３０の右端面に設けられた凹部３１に水平軸部材５０の先端軸５２を挿入する。また、便器本体１に向かって右側の壁面Ｗにリモコン取付具１０を固定する場合は、ヒンジ部２０Ａが左側に位置するように壁面固定部材２０を壁面Ｗに固定し、リモコン装着プレート３０の左端面に設けられた凹部３１に水平軸部材５０の先端軸５２を挿入する。このようにして、リモコン取付具１０は、便器本体１に向かって左右のどちらの壁面Ｗに取り付けられた場合でも、リモコン１００の操作面を便器本体１の便座３に着座した使用者Ｐに向けることができる。
【００２４】
図示を省略するが、リモコン装着プレート３０の表面には、リモコン１００の裏面に形成された係合部に係止する係合爪が形成されている。リモコン１００をリモコン装着プレート３０の表面に対してスライドさせて、リモコン１００に形成された係合部とリモコン装着プレート３０に形成された係合爪とを係合することにより、リモコン１００をリモコン装着プレート３０の表面に装着することができる。リモコン１００は、便器装置の状態等を示す表示装置１０１を有している。また、図示を省略するが、リモコン１００は、便器装置を操作する複数の操作スイッチが前面部及び前面に設けられた蓋１０２の内部に設けられている。
【００２５】
このリモコン取付具１０では、図３に示すように、リモコン装着プレート３０がプレート部２０Ｂに重なり壁面Ｗに沿う位置から壁面Ｗに対して直角方向に延びる位置までの任意の角度に垂直軸部材４０の回りで揺動可能である。また、このリモコン取付具１０は、図４に示すように、リモコン装着プレート３０の表面の向きを斜め上方４５度から斜め下方４５度の間の任意の角度に水平軸部材５０の回りで揺動させることができる。このため、使用者Ｐがリモコン１００を使用しないときは、リモコン装着プレート３０をプレート部２０Ｂに重ねて壁面Ｗに沿う位置にすることにより、リモコン１００の壁面Ｗより前方への突出幅を小さくすることができる。このため、使用者Ｐが便器本体１に近づく際等にリモコン１００に接触し難く、意図せずに便器装置が作動してしまうことを防止することができる。また、リモコン１００を使用するときは、リモコン１００の操作面を使用者Ｐが使用しやすい向きになるように、リモコン装着プレート３０を垂直軸部材４０及び水平軸部材５０の回りで任意の角度に揺動させることができる。
【００２６】
したがって、実施例１のリモコン取付具１０は、リモコン１００を使い勝手良く壁面Ｗに取り付けることができる。
【実施例２】
【００２７】
実施例２のリモコン取付具では、図５に示すように、壁面固定部材６０が、プレート部を有さず、垂直軸部材４０を軸支するヒンジ部６０Ａのみからなる。その他の構成は、実施例１と同一である。実施例１と同一の構成については、同一の符号を付し、詳細な説明は省略する。
【００２８】
ヒンジ部６０Ａの上下端には、前方へ突出する略立方体形状の凸部２１が形成され、垂直方向に貫通穴２２が設けられている。壁面固定部材６０は、上下端の凸部２１の中間部６１に設けられた壁面固定孔６２を貫通する木螺子２７によって壁面Ｗに固定される。この壁面固定部材６０に対して、垂直軸部材４０が固定ピン２３によって取り付けられ、垂直軸部材４０に対して水平軸部材５０を介してリモコン装着プレート３０が取り付けられる。
【００２９】
このような構成である実施例２のリモコン取付具においても、リモコン装着プレート３０を壁面Ｗに沿う位置から壁面Ｗに対して直角方向に延びる位置までの任意の角度に垂直軸部材４０の回りで揺動させることができる。また、リモコン装着プレート３０の表面の向きを斜め上方４５度から斜め下方４５度の間の任意の角度に水平軸部材５０の回りで揺動させることができる。このため、使用者Ｐがリモコン１００を使用しないときは、リモコン装着プレート３０を壁面Ｗに沿う位置にすることにより、リモコン１００の壁面Ｗより前方への突出幅を小さくすることができる。このため、使用者Ｐが便器本体１に近づく際等にリモコン１００に接触し難く、意図せずに便器装置が作動してしまうことを防止することができる。また、リモコン１００を使用するときは、リモコン１００の操作面を使用者Ｐが使用しやすい向きになるように、リモコン装着プレート３０を垂直軸部材４０及び水平軸部材５０の回りで任意の角度に揺動させることができる。
【００３０】
したがって、実施例２のリモコン取付具も、リモコン１００を使い勝手良く壁面Ｗに取り付けることができる。
【実施例３】
【００３１】
実施例３のリモコン取付具１１は、図６に示すように、垂直軸部材４００及び水平軸部材５００をモーターＭ１、Ｍ２により回動可能とするものである。実施例１と同一の構成については、同一の符号を付し、詳細な説明は省略する。
【００３２】
実施例３のリモコン取付具１１では、壁面固定部材２００のヒンジ部２００Ａに形成された上側の凸部２１内にモーターＭ１が内蔵されている。モーターＭ１の回転軸の先端には、水平断面が略矩形状の先端軸２５０が接続されている。この先端軸２５０は、垂直軸部材４００の上端面に設けられた凹部４１に挿入される。
【００３３】
また、垂直軸部材４００内には、モーターＭ２が内蔵されている。モーターＭ２の回転軸の先端には、水平軸部材５００の先端軸５２が接続されている。この先端軸５２は、リモコン装着プレート３０の右端面に設けられ凹部３１に挿入される。
【００３４】
壁面固定部材２００のプレート部２００Ｂ内には、モーターＭ１、Ｍ２に電気的に接続され、モーターＭ１、Ｍ２を制御する制御部Ｃが内蔵されている。ヒンジ部２００Ａの上面には、制御部Ｃに電気的に接続されたスイッチＳが設けられている。便座３に着座した使用者ＰがスイッチＳを操作すると、モーターＭ１、Ｍ２が駆動される。これにより、リモコン１００の操作面が使用者Ｐに使用しやすい向きになるように、リモコン装着プレート３０を垂直軸部材４００及び水平軸部材５００の回りで予め設定しておいた角度に自動的に揺動させることができる。
【００３５】
また、下側の凸部２１内には、制御部Ｃに電気的に接続された受信部Ｔが設けられている。便器本体１に取り付けられた便器装置に使用者Ｐの便座３への着座及び離座を検知可能な検知装置が含まれ、この検知装置が使用者Ｐの便座３への着座又は離座を検知した際に発信する着座信号又は離座信号を受信部Ｔは受信する。受信部Ｔが着座信号を受信すると、モーターＭ１、Ｍ２が駆動される。これにより、リモコン１００の操作面が使用者Ｐに使用しやすい向きになるように、リモコン装着プレート３０を垂直軸部材４００及び水平軸部材５００の回りで予め設定しておいた角度に自動的に揺動させることができる。また、受信部Ｔが離座信号を受信すると、モーターＭ１、Ｍ２が逆方向に駆動される。これにより、リモコン装着プレート３００がプレート部２００Ｂに重なり壁面Ｗに沿う位置に戻るように自動的に揺動させることができる。
【００３６】
したがって、実施例３のリモコン取付具１１も、リモコン１００を使い勝手良く壁面Ｗに取り付けることができる。
【００３７】
以上において、本発明を実施例１〜３に即して説明したが、本発明は上記実施例に限定されるものではなく、その趣旨に逸脱しない範囲で適宜変更して適用できることはいうまでもない。
【００３８】
例えば、実施例１及び２において、固定ピン２３の先端軸２５が基部２４に対して軸心回りで回動する際、及び水平軸部材５０の先端軸５２が基部５１に対して軸心回りで回動する際にクリック感を有するようにしても良い。この場合、リモコン装着プレート３０を任意の角度に揺動しやすくなる。
【００３９】
また、実施例１及び２において、固定ピン２３の先端軸２５が基部２４に対して軸心回りで回動する際、及び水平軸部材５０の先端軸５２が基部５１に対して軸心回りで回動する際に抵抗が生じるようなダンパーを各基部２４、５１内に内蔵しても良い。この場合、リモコン１００を操作時にその操作力により、リモコンが揺動してしまうことを防止することができる。
【００４０】
また、実施例３において、音声検知装置が制御部Ｃに電気的に接続され、モーターＭ１、Ｍ２を音声により駆動可能にしても良い。この場合、リモコン装着プレート３０を容易に揺動させることができる。
【図面の簡単な説明】
【００４１】
【図１】実施例１のリモコン取付具によりトイレルームに取り付けられたリモコンの操作状態を示す概略図である。
【図２】実施例１のリモコン取付具の分解図である。
【図３】実施例１のリモコン取付具に取り付けられたリモコンが垂直軸部材の回りで揺動する状態を示す斜視図である。
【図４】実施例１のリモコン取付具に取り付けられたリモコンが垂直軸部材及び水平軸部材の回りで揺動する状態を示す斜視図である。
【図５】実施例２のリモコン取付具の壁面固定部材を示す斜視図である。
【図６】実施例３のリモコン取付具の概略図である。
【符号の説明】
【００４２】
１…便器本体
１０、１１…リモコン取付具
２０、６０、２００…壁面固定部材
３０…リモコン装着プレート
４０、４００…垂直軸部材
５０、５００…水平軸部材
１００…リモコン
Ｃ…制御部
Ｍ１、Ｍ２…モーター
Ｗ…壁面
【図１】
0005014084.tif 000002
【図２】
0005014084.tif 000003
【図３】
0005014084.tif 000004
【図４】
0005014084.tif 000005
【図５】
0005014084.tif 000006
【図６】
0005014084.tif 000007